(57)【要約】【課題】温水タンク本体の外表面の大部分を覆うことができる保温部材を容易に取り付けることができる温水タンクを提供する。【解決手段】温水タンク１０は、ヒーター３１を内部に配置し、内部に流入した水を貯留して温め、その温水を外部に流出させる。下方に開口した端部を有する第１ケース１１と、上方に開口した端部を有する第２ケース１２とを具備し、端部１１Ａと端部１２Ａとが接合され、内外に配置される部品の流出口１１Ｂ等が外表面に形成された温水タンク本体１３と、流出口１１Ｂ等に対応する部分が開口し、内表面が第１ケース１１の外表面の形状に沿って形成されており、第１ケース１１の外表面に固定された第１保温部材１４と、流入口１２Ｂ等に対応する部分が開口し、内表面が第２ケース１２の外表面の形状に沿って形成されており、第２ケース１２の外表面に固定された第２保温部材１５とを備えている。【選択図】図２
2011231983.tif 000002
【特許請求の範囲】
【請求項１】
ヒーターを内部に配置し、内部に流入した水を貯留して温め、その温水を外部に流出させる温水タンクであって、
開口した端部を有する第１ケースと、開口した端部を有する第２ケースとを具備し、前記第１ケースの端部と前記第２ケースの端部とが接合され、内外に配置される部品の取付部が外表面に形成された温水タンク本体と、
前記取付部に対応する部分が開口し、内表面が前記第１ケースの外表面の形状に沿って形成されており、前記第１ケースの外表面に固定された第１保温部材と、
前記取付部に対応する部分が開口し、内表面が前記第２ケースの外表面の形状に沿って形成されており、前記第２ケースの外表面に固定された第２保温部材とを備えていることを特徴とする温水タンク。
【請求項２】
前記取付部は、上流側の給水路が連通して取り付けられる流入口、下流側の給水路が連通して取り付けられる流出口、又は前記ヒーターが取り付けられるヒーター取付部であることを特徴とする請求項１記載の温水タンク。
【請求項３】
第１保温部材又は第２保温部材は、前記ヒーター取付部の近傍が難燃材により形成されていることを特徴とする請求項１又は２記載の温水タンク。
【請求項４】
前記第１保温部材の端部と前記第２保温部材の端部とを連結する中間保温部材とを備えていることを特徴とする請求項１乃至３のいずれか１項記載の温水タンク。
【請求項５】
前記第１保温部材及び前記第２保温部材は硬質の発泡材により形成されていることを特徴とする請求項１乃至４のいずれか１項記載の温水タンク。
【請求項６】
前記第１保温部材又は前記第２保温部材は前記ヒーターに連結される通電用配線が通る切欠き部が設けられていることを特徴とする請求項１乃至５のいずれか１項記載の温水タンク。
【発明の詳細な説明】
【技術分野】
【０００１】
本発明は温水タンクに関する。
【背景技術】
【０００２】
特許文献１の図２には従来の温水タンクが開示されている。この温水タンクは、温水タンク本体と温水タンク本体の外表面を覆うように貼り付けられた保温部材とを備えている。温水タンク本体には、内部に流入する水の流入口、内部に貯留された温水を流出する流出口、ヒーターが取り付けらるヒーター取付部等が形成されている。温水タンク本体の内部にはヒーターが配置されており、内部に流入した水を貯留して温めることができる。また、温水タンク本体の内部に貯留された温水を外部に流出させることができる。
【０００３】
保温部材は、温水タンクの上部に貼り付けられた熱伝導率が小さい保温部材と、温水タンクの下部に貼り付けられ、熱伝導率が上部の保温部材よりも大きい保温部材とから形成されている。この温水タンクは、上部からの放熱量を減らして消費電力を低減しつつ、所定の温度の温水を確保することができる。
【先行技術文献】
【特許文献】
【０００４】
【特許文献１】特開２００８−１０１８３３号公報
【発明の概要】
【発明が解決しようとする課題】
【０００５】
しかし、特許文献１の従来の温水タンクでは、温水タンク本体の外表面に保温部材を貼り付ける手間を要する。特に、流入口等が形成された部分では流入口等を避けて保温部材を貼り付けなければならないため、さらに手間を要する。
【０００６】
本発明は、上記従来の実情に鑑みてなされたものであって、温水タンク本体の外表面の大部分を覆うことができる保温部材を容易に取り付けることができる温水タンクを提供することを解決すべき課題としている。
【課題を解決するための手段】
【０００７】
本発明の温水タンクは、ヒーターを内部に配置し、内部に流入した水を貯留して温め、その温水を外部に流出させる温水タンクであって、
開口した端部を有する第１ケースと、開口した端部を有する第２ケースとを具備し、前記第１ケースの端部と前記第２ケースの端部とが接合され、内外に配置される部品の取付部が外表面に形成された温水タンク本体と、
前記取付部に対応する部分が開口し、内表面が前記第１ケースの外表面の形状に沿って形成されており、前記第１ケースの外表面に固定された第１保温部材と、
前記取付部に対応する部分が開口し、内表面が前記第２ケースの外表面の形状に沿って形成されており、前記第２ケースの外表面に固定された第２保温部材とを備えていることを特徴とする。
【０００８】
この温水タンクでは、温水タンク本体が第１ケースと第２ケースに分割され、第１ケースに第１保温部材が取り付けられ、第２ケースに第２保温部材が取り付けられている。このため、温水タンク本体の大部分を第１保温部材と第２保温部材とにより覆うことができる。
【０００９】
また、第１保温部材は、第１ケースの外表面の形状に沿った内表面に形成されるとともに取付部に対応する部分が開口しているため、第１ケースに凹凸が形成されていても第１ケースに容易に取り付けることができる。また、第２保温部材も、第２ケースの外表面の形状に沿った内表面に形成されるとともに取付部に対応する部分が開口しているため、第２ケースに凹凸が形成されていても第２ケースに容易に取り付けることができる。
【００１０】
さらに、第１ケースと第２ケースとがずれて接合されたとしても、第１保温部材は第１ケースの外表面に固定され、第２保温部材は第２ケースの外表面に固定されるため、第１保温部材及び第２保温部材の固定に影響せず、確実に第１保温部材及び第２保温部材を温水タンク本体に取り付けることができる。
【００１１】
したがって、本発明の温水タンクは、温水タンク本体の外表面の大部分を覆うことができる保温部材を容易に取り付けることができる。
【００１２】
前記取付部は、上流側の給水路が連通して取り付けられる流入口、下流側の給水路が連通して取り付けられる流出口、又は前記ヒーターが取り付けられるヒーター取付部であり得る。この場合、温水タンク本体に第１保温部材及び第２保温部材を取り付ける前後にかかわらず、上流側の給水路を流入口に着脱したり、下流側の給水路を流出口に着脱したり、又はヒーターをヒーター取付部に着脱したりすることができる。このため、温水タンクの組立てやメンテナンスを容易に行なうことができる。
【００１３】
第１保温部材又は第２保温部材は、前記ヒーター取付部の近傍が難燃材により形成され得る。この場合、ヒーター取付部の近傍まで保温部材によって温水タンク本体を覆うことができる。このため、温水タンクの保温性を向上させることができ、消費電力も減らすことができる。
【００１４】
前記第１保温部材の端部と前記第２保温部材の端部とを連結する中間保温部材とを備え得る。この場合、第１保温部材と第２保温部材との間に露出する温水タンク本体の外表面を中間保温部材で覆うことができる。このため、温水タンクの保温性をさらに向上させることができ、消費電力も減らすことができる。
【００１５】
前記第１保温部材及び前記第２保温部材は硬質の発泡材により形成され得る。この場合、第１保温部材及び第２保温部材が保形性を有するため、第１ケース及び第２ケースのそれぞれに第１保温部材若しくは第２保温部材をさらに容易に取り付けることができる。
【００１６】
前記第１保温部材又は前記第２保温部材は前記ヒーターに連結される通電用配線が通る切欠き部が設けられ得る。この場合、切欠き部が通電用配線の案内となるため、通電用配線の敷設を容易にすることができる。また、通電用配線を切欠き部に通すことにより、保温部材と他の部品等との間に通電用配線が挟持されてしまうことを防止することができる。
【図面の簡単な説明】
【００１７】
【図１】実施例１の温水タンクが水洗式便器に組み込まれた状態を示す斜視図である。
【図２】実施例１の温水タンクの分解斜視図である。
【図３】実施例１の温水タンクの斜視図である。
【図４】実施例２の温水タンクの斜視図である。
【発明を実施するための形態】
【００１８】
本発明の温水タンクを具体化した実施例１及び２を図面を参照しつつ説明する。
【００１９】
＜実施例１＞
実施例１の温水タンク１０は、図１に示すように、水洗式便器１に組み込まれている。水洗式便器１は、便器本体２と便器本体２の後部上面に載置された便器洗浄用の洗浄タンク３とを備えている。洗浄タンク３はタンクカバー４に覆われている。タンクカバー４は前面下部に便座５及び便蓋６を回動自在に軸支している。また、タンクカバー４は上端部に手洗い用吐水口７を有する手洗い鉢８を設けている。
【００２０】
温水タンク１０は、タンクカバー４内であり、洗浄タンク３の下部が凹設されて形成された空間内に収納されている。温水タンク１０は、下流側に連通した局部洗浄装置の洗浄ノズル９に連通しており、洗浄ノズル９に温水を供給することができる。温水タンク１０は、バルブユニット２０、給水管Ｓ及び止水栓Ｖを介して上流側の給水源Ｆに連通されている。洗浄タンク３は、連結管３Ａ、バルブユニット２０、給水管Ｓ及び止水栓Ｖを介して上流側の給水源Ｆに連通されている。
【００２１】
温水タンク１０は、図２及び図３に示すように、第１ケース１１と第２ケース１２とから形成された温水タンク本体１３と、第１ケース１１の外表面に固定された第１保温材１４と、第２ケース１２の外表面に固定された第２保温材１５とを備えている。
【００２２】
第１ケース１１は、上面部及び側面部を有し、下方に開口した端部１１Ａが形成された中空体である。第１ケース１１の端部１１Ａは外縁部が外側に突出して鍔形状に形成されている。第２ケース１２は、下面部及び側面部を有し、上方に開口した端部１２Ａが形成された中空体である。第２ケース１２の端部１２Ａは外縁部が外側に突出して鍔形状に形成されている。第１ケース１１の端部１１Ａと第２ケース１２の端部１２Ａとは対称形状に形成されている。このように形成された第１ケース１１と第２ケース１２とは、第１ケース１１の端部１１Ａの下面と第２ケース１２の端部１２Ａの上面とを溶着して一体化され、温水タンク本体１３が形成されている。
【００２３】
第１ケース１１の上面部には流出口１１Ｂ及びセンサー取付部１１Ｃが形成されている。流出口１１Ｂには、温水タンク本体１３の外部に配置され、下流側の給水路を形成する給水パイプ４０の上流端部が取り付けられる。給水パイプ４０の下流端部は、洗浄ノズル９への流路上に設けられたバルブを介して洗浄ノズル９に取り付けられている。センサー取付部１１Ｃには、温水タンク本体１３の内部に配置される図示しない水位センサーの上端部が取り付けられている。水位センサーは信号線１１Ｌを介して図示しない制御装置に連結されている。この水位センサーによって、温水タンク本体１３内が満水状態か否かを検知し、温水タンク本体１３への給水制御をしている。第１ケース１１の前方側の側面部には後述するヒーター３１の一端部に連結された通電用配線（電力線）３４を係止可能なフック部１１Ｄが形成されている。
【００２４】
第２ケース１２の左側の側面部には、流入口１２Ｂ及び軸芯に螺子孔が設けられた円柱状のバルブ取付部１２Ｃが形成されている。流入口１２Ｂには、温水タンク本体１３の外部に配置され、上流側の給水路を形成するバルブユニット２０の第２流出口２１が挿入され、取り付けられる。
【００２５】
バルブユニット２０は、上下方向に延びた第１給水管２３と、第１給水管２３の中間部から分岐し、上下方向に延びた第２給水管２４とを有している。第１給水管２３は洗浄タンク３への給水路の一部を構成している。第２給水管２４は温水タンク１０への給水路の一部を構成している。
【００２６】
第１給水管２３の側面下部には、給水管Ｓの下流端が連結される流入口２２が設けられている。また、第１給水管２３の上端開口は連結管３Ａに連結される第１流出口２３Ａを形成している。第１給水管２３内には下端開口にねじ込まれた蓋部材２３Ｂに一体化された図示しないストレーナが収納されている。
【００２７】
第２給水管２４の上端部には電磁式パイロット弁２５Ａを有する開閉弁２５が連結され、その下流側に第２流出口２１が形成されている。電磁式パイロット弁２５Ａが図示しない制御装置からの信号によって開閉することに伴い、開閉弁２５を開閉させることができる。このようにして、第２流出口２１から温水タンク本体１３への給水が制御される。第２給水管２４内には下端開口にねじ込まれた蓋部材２４Ａに一体化された図示しないストレーナが収納されている。
【００２８】
バルブユニット２０は、第２ケース１２のバルブ取付部１２Ｃに対応する位置に形成された取付片２６を有している。取付片２６の先端部にはビスＢを挿通する貫通孔が貫設されている。バルブユニット２０は、第２流出口２１を第２ケース１２に形成された流入口１２Ｂに挿入し、取付片２６の貫通孔からビスＢをバルブ取付部１２Ｃにねじ込むことにより、温水タンク本体１３に取り付けられる。
【００２９】
第２ケース１２の前方側の側面部にはヒーター取付部１２Ｄが形成されている。ヒーター取付部１２Ｄにはヒーターユニット３０が取り付けられている。ヒーターユニット３０は、Ｕ字状に折り曲げられたヒーター３１と、ヒーター３１の両端部を固定した金属性のヒーター基板部３２と、ヒーター基板部３２の外表面の取り付けられたサーモスタット３３とを有している。ヒーター取付部１２Ｄには、ヒーター３１を温水タンク本体１３内に挿入する開口部が形成されており、その開口部から温水タンク本体１３内にヒーター３１を挿入した後、ヒーター基板部３２をビスＢにより第２ケース１２に固定している。ヒーター基板部３２はヒーター３１から熱が伝播される。このため、ヒーター基板部３２が設定温度以上になるとサーモスタット３３が作動し、ヒーター３１への通電を遮断する。
【００３０】
第２ケース１２は、側面部の３箇所から外側に突出して形成された温水タンク１０を固定するための固定片１２Ｅを有している。各固定片１２Ｅの先端部には貫通孔が形成されている。温水タンク１０は、図示しない便器本体２に固定されたベースプレートに各固定片１２Ｅの貫通孔からビスをねじ込むことによりベースプレートに固定される。第２ケース１２の下面部には、下方に延びた円筒状の水抜き部１２Ｆが形成されている。水抜き部１２Ｆの下端開口は、蓋部材１２Ｇがねじ込まれて封止されている。
【００３１】
第１保温部材１４と第２保温部材１５とは難燃性を有する硬質の発泡材から形成されている。第１保温部材１４は第１ケース１１の下端部１１Ａより上方の外表面より一回り大きい相似形状に形成されている。つまり、第１保温部材１４の内表面は第１ケース１１の外表面の形状に沿って形成されている。また、第１保温部材１４の側面部の厚さは第１ケース１１の下端部１１Ａが外側へ突出している幅と略同じである。
【００３２】
また、第１保温部材１４には、流出口１１Ｂ及びセンサー取付部１１Ｃに対応する部分に第１開口部１４Ａと、フック部１１Ｄに対応する部分に第２開口部１４Ｂとが形成されている。第１開口部１４Ａは第１保温部材１４の前方右側の上面部から右側及び前方側の側面部の上端部にかけて開口して形成されている。第２開口部１４Ｂは第１保温部材１４の前方側の側面部の下端から上下方向の中間位置まで開口して形成されている。
【００３３】
また、第１保温部材１４には、ヒーター３１に連結された通電用配線（電力線）３４が通る細長形状の切欠き部１４Ｃが形成されている。切欠き部１４Ｃは、第１保温部材１４の左側において、前方側の側面部の上端部から後方側の側面部の上端部にかけて、第１保温部材１４の上面部を前後方向に延びて細長形状に形成されている。
【００３４】
第２保温部材１５は第２ケース１２の上端部１２Ａより下方の外表面より一回り大きい相似形状に形成されている。つまり、第２保温部材１５の内表面は第２ケース１２の外表面の形状に沿って形成されている。また、第２保温部材１５の側面部の厚さは第２ケース１２の下端部１２Ａが外側へ突出している幅と略同じである。
【００３５】
また、第２保温部材１５には、流入口１２Ｂ及びバルブ取付部１２Ｃに対応する部分に切欠状の第３開口部１５Ａ、ヒーター取付部１２Ｄに対応する部分に切欠状の第４開口部１５Ｂ、第２ケース１２の右後方コーナー部に形成された固定片１２Ｅに対応する部分に切欠状の第５開口部１５Ｃ及び水抜き部１２Ｆに対応する部分に第６開口部１５Ｄが形成されている。
【００３６】
第３開口部１５Ａは第２保温部材１５の左側の側面部の上端から下端近傍まで開口して形成されている。第４開口部１５Ｂは第２保温部材１５の右側の側面部の前側から前方側の側面部の左前方コーナー部の手前までの上端から下端近傍まで開口して形成されている。第５開口部１５Ｃは第２保温部材１５の右後方コーナー部の側面部の上端から上下方向の中間位置まで開口して形成されている。第６開口部１５Ｄは下面部の左後方コーナー部に開口して形成されている。
【００３７】
このように構成された第１保温部材１４と第２保温部材１５とは、温水タンク本体１３のセンサー取付部１１Ｃに水位センサーが取り付けられ、流入口１２Ｂ及びバルブ取付部１２Ｃにバルブユニット２０が取り付けられ、さらにヒーター取付部１２Ｄにヒーターユニット３０が取り付けられた後に温水タンク本体１３に取り付けられる。この際、第１ケース１１には第１保温部材１４が取り付けられ、第２ケース１２には第２保温部材１５が取り付けられて、温水タンク本体１３の大部分を第１保温部材１４と第２保温部材１５とにより覆うことができる。
【００３８】
第１保温部材１４は、硬質の発泡材により形成されているため保形性を有し、かつ第１ケース１１の外表面の形状に沿った内表面に形成されるとともに、流出口１１Ｂ、センサー取付部１１Ｃ及びフック部１１Ｄに対応する部分が開口しているため、第１ケース１１に容易に取り付けることができる。また、第２保温部材１５も、硬質の発泡材により形成されているため保形性を有し、かつ第２ケース１２の外表面の形状に沿った内表面に形成されるとともに、流入口１２Ｂ、バルブ取付部１２Ｃ、ヒーター取付部１２Ｄ及び固定片１２Ｅに対応する部分が開口しているため、第２ケース１２に容易に取り付けることができる。
【００３９】
また、第１ケース１１と第２ケース１２との接合がずれたとしても、第１保温部材１４は第１ケース１１の外表面に固定され、第２保温部材１５は第２ケース１２の外表面に固定されるため、第１保温部材１４及び第２保温部材１５の固定に影響せず、確実に第１保温部材１４及び第２保温部材１５を温水タンク本体１３に取り付けることができる。
【００４０】
したがって、実施例１の温水タンク１０は、温水タンク本体１３の外表面の大部分を覆うことができる保温部材（第１保温部材１４及び第２保温部材１５）を容易に取り付けることができる。
【００４１】
温水タンク本体１３に第１保温部材１４と第２保温部材１５とが取り付けられた後、ヒーター３１に連結された通電用配線（電力線）３４を切欠き部１４Ｃに通し、電磁式パイロット弁２５Ａの端子に連結させる。このように切欠き部１４Ｃが通電用配線（電力線）３４の案内となるため、通電用配線（電力線）３４の敷設を容易にすることができる。また、通電用配線（電力線）３４を切欠き部１４Ｃに通すことにより、取り回しを大きくすることなく、また第１保温部材１４と洗浄タンク３の下面との間に通電用配線（電力線）３４が挟持されてしまうことを防止することができる。この後、給水パイプ４０の上流端部を流出口１１Ｂに取り付ける。
【００４２】
この温水タンク１０では、温水タンク本体１３に第１保温部材１４及び第２保温部材１５を取り付ける前後にかかわらず、流出口１１Ｂに給水パイプ４０の上流端部を着脱したり、センサー取付部１１Ｃに水位センサーを着脱したり、バルブユニット２０を流入口１２及びバルブ取付部１２Ｃに着脱したり、ヒーターユニット３０をヒーター取付部１２Ｄに着脱したりすることができる。このため、温水タンク１０の組立てやメンテナンスを容易に行なうことができる。
【００４３】
また、第２保温部材１５が難燃性の発泡材から形成されているため、ヒーター取付部１２Ｄの近傍まで第２保温部材１５によって第２ケース１２を覆うことができる。このため、温水タンク１０の保温性を向上させることができ、消費電力も減らすことができる。
【００４４】
＜実施例２＞
実施例２の温水タンク１１０は、図４に示すように、第１保温部材１４の端部と第２保温部材１５の端部とを連結する帯状の中間保温部材１６とを備えている。他の構成は実施例１の温水タンク１０と同一であり、同一の構成については同一の符号を付し、詳細な説明を省略する。
【００４５】
実施例２の温水タンク１１０では、第１保温部材１４と第２保温部材１５との間に露出する第１ケース１１の下端部１１Ａ及び第２ケース１２の上端部１２Ａも中間保温部材１６によって覆うことができる。このため、温水タンク１１０の保温性をさらに向上させることができ、消費電力もさらに減らすことができる。
【００４６】
本発明は上記記述及び図面によって説明した実施例に限定されるものではなく、例えば次のような実施例も本発明の技術的範囲に含まれる。
（１）実施例１及び２では、第１保温部材及び第２保温部材を難燃性を有する発泡材により形成したが、難燃性でなくてもよい。この場合、ヒーター取付部に対応する保温部材の開口を広く形成するとよい。また、ヒーター取付部の近傍のみを難燃性にしてもよい。
（２）実施例１及び２では、第１保温部材及び第２保温部材を硬質の発泡材により形成したが、柔軟性を有する発泡材であってもよい。
（３）実施例１及び２では、第１保温部材がヒーターに連結される通電用配線（電力線）が通る細長形状の切欠き部が設けられていたが、第２保温部材に通電用配線（電力線）が通る細長形状の切欠き部を設けてもよい。また、切欠き部は溝状に形成されていてもよい。
（４）実施例１及び２では、温水タンク本体を上下に分割する第１ケースと第２ケースとにより形成したが、温水タンク本体を左右に分割する２つのケースから形成してもよい。この場合、温水タンク本体の左右から取り付けられる２つの保温部材を用いて温水タンク本体の外表面を覆うことになる。
【産業上の利用可能性】
【００４７】
本発明は局部洗浄装置用の温水タンクに利用可能である。
【符号の説明】
【００４８】
１０…温水タンク
１１…第１ケース
１１Ａ…（第１ケースの）下端部
１２…第２ケース
１２Ａ…（第２ケースの）上端部
１１Ｂ、１１Ｃ、１２Ｂ、１２Ｃ、１２Ｄ…取付部（１１Ｂ…流出口、１１Ｃ…センサー取付部、１２Ｂ…流入口、１２Ｃ…バルブ取付部、１２Ｄ…ヒーター取付部）
１３…温水タンク本体
１４…第１保温部材
１４Ｃ…切欠き部
１５…第２保温部材
１６…中間保温部材
３１…ヒーター
【図１】
2011231983.tif 000003
【図２】
2011231983.tif 000004
【図３】
2011231983.tif 000005
【図４】
2011231983.tif 000006